(57)【特許請求の範囲】
【請求項１】
充電台(10)と、この充電台(10)の定位置に脱着できるようにセットされて、内蔵する二次電池(40)が充電される携帯機器(30)とを備え、
充電台(10)は、セットされた携帯機器(30)を定位置に保持する係止フック(12)を備え、携帯機器(30)は、充電台(10)の係止フック(12)を係止する係止凹部(32)をケース表面に設けており、係止フック(12)を係止凹部(32)に案内して、係止フック(12)でもって携帯機器(30)を充電台(10)の定位置に保持するようにしており、
さらに、携帯機器(30)は、係止凹部(32)の内部に頭部(34A)を位置させるように、ケース(31)を貫通して止ネジ(34)をねじ込んでおり、係止凹部(32)は止ネジ(34)の頭部(34A)を入れる状態で、係止フック(12)を入れて係止できる深さを有し、係止凹部(32)を止ネジ(34)の頭部(34A)を入れるザグリ穴と、係止フック(12)を係止する凹部に併用してなる充電台と携帯機器。
【請求項２】
携帯機器(30)の背面底部に係止凹部(32)を設けている請求項１に記載される充電台と携帯機器。
【請求項３】
携帯機器(30)が、分割して成形されてなる背面に位置する第１のケース(31A)と、この第１のケース(31A)の開口部を閉塞するように第１のケース(31A)に連結している第２のケース(31B)とを備え、止ネジ(34)が第１のケース(31A)と第２のケース(31B)をネジ止めしている請求項１に記載される充電台と携帯機器。
【請求項４】
携帯機器(30)が、係止凹部(32)と充電台(10)への充電端子(33)とを背面底部に設けている請求項１に記載される充電台と携帯機器。
【請求項５】
係止凹部(32)が下部の内面に平面部を有すると共に、係止フック(12)が係止凹部(32)に挿入されるフック部(12A)の下面に平面部を有しており、互いの平面部を係合させて係止フック(12)を係止凹部(32)に係止する請求項１に記載される充電台と携帯機器。
【発明の詳細な説明】
【技術分野】
【０００１】
本発明は、二次電池を内蔵する携帯機器と、この携帯機器を脱着できるようにセットして二次電池を充電する充電台とに関する。
【背景技術】
【０００２】
携帯電話等の携帯機器は、内蔵する二次電池を充電するときに充電台にセットする。充電台は、充電回路を内蔵しており、あるいは外部電源から電力を供給して、携帯機器の二次電池を充電する。充電台は、携帯機器の充電端子に接触する出力端子を備えている。携帯機器が充電台にセットされると、出力端子が充電端子に接触されて、充電台から携帯機器に電力を供給して二次電池を充電する。充電端子を出力端子に接触不良が起こらない状態で接続するために、携帯機器を充電台の定位置にセットすることが大切である。このことを実現するために、携帯機器を定位置に保持する係止フックを設けた充電台が開発されている。（特許文献１参照）
【特許文献１】特開２００４−８８６８８号公報
【発明の開示】
【発明が解決しようとする課題】
【０００３】
この公報に記載されるように、充電台に設けた係止フックで携帯機器を定位置に保持する機構は、携帯機器のケース表面に、係止フックを入れる凹部を設ける必要がある。表面に凹部のあるケースは、凹部によってケースの内側に突出部ができる。このため、ケース内には、突出部を設けるためのスペースを設ける必要があり、実質的にはケースの外形を大きくする必要がある。
【０００４】
また、携帯機器のケースは、内部に電子回路等を実装する回路基板を収納するので、組み立て工程で開口できるように、複数に分割して成形される。たとえばケースは、ふたつに分割してプラスチックで成形される。このケースは、ケースを分離する状態で、一方のケースに回路基板を入れ、このケースに別のケースを連結して、ケースの開口部を閉塞する。この構造のケースは、ふたつのケースを止ネジ等で連結する必要がある。止ネジは、一方のケースを貫通し、先端部を他方のケースに一体的に成形して設けているネジボス等にねじ込んで、ケースを連結する。この構造は、ケース表面を綺麗に仕上げるために、止ネジをケース表面から突出しない構造とする必要がある。このため、ケース表面に止ネジのザグリ穴を設けている。このケースは、ザグリ穴に止ネジの頭部を入れて、止ネジがケース表面から突出しないようにしている。この構造のケースは、止ネジを外してケースを開くことができる。このため、携帯機器をメンテナンスするときに、ケースを簡単に開くことができる特徴がある。ただ、この構造の携帯機器は、ケース表面にザグリ穴を設ける必要がある。このため、ケース表面に係止フックを入れる凹部を設けるケースにあっては、ザグリ穴と係止フックを入れる凹部の両方を設ける必要があり、ケース表面をすっきりとして綺麗な状態に仕上げることができない欠点があった。
【０００５】
本発明は、さらにこの欠点を解決することを目的に開発されたものである。本発明の重要な目的は、止ネジのザグリ穴と係止フックの凹部とを併用することで、係止フックを案内するために専用の凹部を設ける必要がなく、係止フックをザグリ穴に入れて携帯機器を充電台の定位置にセットできる充電台と携帯機器とを提供することにある。
【課題を解決するための手段】
【０００６】
本発明の充電台と携帯機器は、前述の目的を達成するために以下の構成を備える。
本発明の充電台と携帯機器は、充電台１０と、この充電台１０の定位置に脱着できるようにセットされて、内蔵する二次電池４０が充電される携帯機器３０とを備える。充電台１０は、セットされた携帯機器３０を定位置に保持する係止フック１２を備える。携帯機器３０は、充電台１０の係止フック１２を係止する係止凹部３２をケース表面に設けており、係止フック１２を係止凹部３２に案内して、係止フック１２でもって携帯機器３０を充電台１０の定位置に保持する。さらに、携帯機器３０は、係止凹部３２の内部に頭部３４Ａを位置させるように、ケース３１を貫通して止ネジ３４をねじ込んでいる。係止凹部３２は、止ネジ３４の頭部３４Ａを入れる状態で、係止フック１２を入れて係止できる深さを有する。携帯機器３０は、係止凹部３２を止ネジ３４の頭部３４Ａを入れるザグリ穴と、係止フック１２を係止する凹部に併用している。
【０００７】
携帯機器３０は、背面底部に係止凹部３２を設けることができる。携帯機器３０は、分割して成形されてなる背面に位置する第１のケース３１Ａと、この第１のケース３１Ａの開口部を閉塞するように第１のケース３１Ａに連結している第２のケース３１Ｂとを備え、止ネジ３４で第１のケース３１Ａと第２のケース３１Ｂをネジ止めすることができる。携帯機器３０は、係止凹部３２と充電台１０への充電端子３３とを背面底部に設けることができる。
【０００８】
さらに、本発明は、携帯機器３０の係止凹部３２が、下部の内面に平面部を有すると共に、充電台１０の係止フック１２が係止凹部３２に挿入されるフック部１２Ａの下面に平面部を有して、互いの平面部を係合させて係止フック１２を係止凹部３２に係止することができる。
【発明の効果】
【０００９】
本発明の充電台と携帯機器は、係止フックを案内するために専用の凹部を設ける必要がなく、係止フックをザグリ穴に入れて携帯機器を充電台の定位置にセットできる特長がある。それは、本発明の充電台と携帯機器が、携帯機器のケース表面に設けた係止凹部を、止ネジの頭部を入れるザグリ穴と、係止フックを係止する凹部に併用しているからである。本発明の充電台と携帯機器は、係止凹部の内部に頭部を位置させるように止ネジをねじ込んで、係止凹部を止ネジのザグリ穴とすると共に、充電台に設けた係止フックを係止凹部に案内して、係止フックでもって携帯機器を充電台の定位置に保持するようにしている。したがって、本発明は、携帯機器に、係止フックを案内するために専用の凹部をザグリ穴とは別に設ける必要がなく、止ネジのザグリ穴を係止フックを係止する凹部に併用して携帯機器を充電台の定位置にセットできる。この構造は、携帯機器のケース表面に、係止フックを入れるための専用の凹部を設ける必要がないので、携帯機器のケース内に余分なスペースを確保してケースの外形を大きくすることなく、係止フックで係止して充電台の定位置にセットできる。また、携帯機器のケース表面に、係止フックを入れる凹部とザグリ穴の両方を設ける必要がないので、ケース表面をすっきりとして綺麗な状態に仕上げることができる。
【発明を実施するための最良の形態】
【００１０】
以下、本発明の実施例を図面に基づいて説明する。ただし、以下に示す実施例は、本発明の技術思想を具体化するための充電台と携帯機器を例示するものであって、本発明は充電台と携帯機器を以下のものに特定しない。
【００１１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１２】
図１ないし図９は、充電台１０と、この充電台１０の定位置に脱着できるようにセットされて、内蔵する二次電池４０を充電する携帯機器３０とを備える。この図の携帯機器３０は、携帯電話である。ただし、本発明は、携帯機器を携帯電話に特定しない。携帯機器には、ゲーム機やＰＤＦ等の二次電池を電源に使用する全ての携帯機器とすることができるからである。
【００１３】
充電台１０は、図３ないし図８に示すように、ケーシング１１内に、セットされた携帯機器３０を定位置に保持する係止フック１２と、携帯機器３０の充電端子３３に接触される出力端子１３とを内蔵している。充電台１０のケーシング１１は、図２と図３に示すように、携帯機器３０の下部を挿入して嵌合する挿入凹部１４を設けている。係止フック１２と出力端子１３は、この挿入凹部１４の内部に弾性的に突出して、ここにセットされる携帯機器３０に弾性的に押圧される。
【００１４】
図の充電台１０は、一対の係止フック１２を設けている。一対の係止フック１２は、携帯機器３０の背面下部に設けている一対の係止凹部３２に先端を入れて係止する。この係止フック１２は、下端を中心に垂直面内で回動できるように、ケーシング１１の底部に連結している。図の係止フック１２は、水平方向に向く回転軸１５をプラスチックで一体的に成形して設けている。一対の係止フック１２に設けている回転軸１５は、ケーシング１１に直線上に配置される。係止フック１２は、回転軸１５を回転できるようにケーシング１１に連結している。係止フック１２は、上端をＬ字状に成形して、上端にフック部１２Ａを設けている。フック部１２Ａは、ケーシング１１に設けられた開口部１６を出入りできるように貫通して、挿入凹部１４の内面に弾性的に突出している。フック部１２Ａは、上面を先端に向かって下り勾配に傾斜させている。このフック部１２Ａは、携帯機器３０を挿入凹部１４にスムーズに挿入できる。携帯機器３０がフック部１２Ａの上面に設けた傾斜面を摺動しながら、係止フック１２を傾動させるからである。フック部１２Ａの下面は、平面部を有する形状としている。図のフック部１２Ａは、下面を略水平面として平面部を設けている。
【００１５】
フック部１２Ａは、これに連結している弾性体である第１コイルバネ１７で挿入凹部１４に突出される。第１コイルバネ１７は、図７に示すように、両端部に設けたコイル部１７Ａを回転軸１５に挿通して、中間のコ字部１７Ｂを係止フック１２の背面に、両端をケーシング１１に固定しているストッパ部（図示せず）に当接させている。第１コイルバネ１７の、両コイル部１７Ａの中間に設けたコ字部１７Ｂは、図５に示すように、係止フック１２の背面に設けている段差部１２Ｂに係止している。この段差部１２Ｂは、上方を切除した形状としている。ここに係止される第１コイルバネ１７は、係止フック１２が上方に抜けるのを阻止しながら、フック部１２Ａを開口部１６から挿入凹部１４に弾性的に突出させる。
【００１６】
出力端子１３は、導電性のある弾性金属線で製作される。この出力端子１３は、後端部１３Ｃをケーシング１１に内蔵している回路基板１８に半田付け等の方法で固定し、中間をコイルバネ状に加工し、先端部１３Ａを山形に折曲加工している。中間のコイルバネ部１３Ｂには、ケーシング１１に固定している固定部（図示せず）を挿入して、出力端子１３を定位置に配置する。山形の先端部１３Ａは、ケーシング１１に設けた開口部１９を貫通して、挿入凹部１４に弾性的に突出する。
【００１７】
この出力端子１３は、充電台１０の挿入凹部１４にセットされた携帯機器３０の充電端子３３に山形の先端部１３Ａを接触させて、携帯機器３０に内蔵している二次電池４０を充電する。充電回路を内蔵する充電台においては、出力端子１３は、回路基板１８に実装される充電回路に接続されて、携帯機器３０の二次電池４０を充電する。また、外部電源の充電回路から電力が供給される充電台においては、回路基板に固定される出力端子が、回路基板に接続される接続用のコネクタを介して外部電源に接続されて、外部電源から供給される電力で携帯機器の二次電池を充電する。
【００１８】
図の充電台１０は、一対の係止フック１２の両側に正負の出力端子１３を配設している。この構造の充電台１０は、係止フック１２と出力端子１３が互いに接近するので、係止フック１２で携帯機器３０を定位置に保持しながら、出力端子１３を携帯機器３０の充電端子３３に接触できる。このため、出力端子１３と充電端子３３の接触不良を少なくできる。係止フック１２が、携帯機器３０の充電端子３３を定位置に配置するからである。図の充電台１０は、一対の係止フック１２の両側に出力端子１３を配置するが、この配置とは反対に出力端子の両側に係止フックを配置して、接触不良を防止することもできる。
【００１９】
携帯機器３０は、充電台１０の係止フック１２を係止する係止凹部３２をケース表面に設けている。図８と図９の携帯機器３０は、背面の下部両側に一対の係止凹部３２を設けている。携帯機器３０の下端部が充電台１０の挿入凹部１４に入れられて、携帯機器３０が充電台１０にセットされると、係止フック１２はフック部１２Ａを係止凹部３２に挿入して、携帯機器３０を充電台１０の定位置に抜けないように保持する。係止凹部３２は、図９の一部拡大図に示すように、正面から見て、上部を半円形、下部を方形状とする形状としている。この形状の係止凹部は、図１０の拡大斜視図に示すように、下側の内面に平面部が形成される。図の係止凹部３２は、凹部の下面を略水平面として、内面に平面部を設けている。この形状の係止凹部３２は、ここに挿入される係止フック１２のフック部１２Ａの下面の平面部を係合して、安定して係止できる。
【００２０】
携帯機器３０は、係止フック１２の係止凹部３２を、止ネジ３４のザグリ穴に併用している。したがって、係止凹部３２は、ザグリ穴として止ネジ３４の頭部３４Ａを入れている。止ネジ３４は、図５に示すように、ケース３１の係止凹部３２を貫通してねじ込まれている。図の携帯機器３０は、ケース３１を前後に分割してプラスチックで成形しており、前後のケース３１を止ネジ３４で連結している。すなわち、図の携帯機器３０のケース３１は、分割して成形されて背面に位置する第１のケース３１Ａと、この第１のケース３１Ａの開口部を閉塞するように第１のケース３１Ａに連結している第２のケース３１Ｂとを備える。止ネジ３４は、図１０に示すように、第１のケース３１Ａを貫通し、第２のケース３１Ｂに一体的に成形しているネジボス３５に先端部をねじこんで、第１のケース３１Ａと第２のケース３１Ｂとを連結して固定している。
【００２１】
止ネジ３４のザグリ穴に併用される係止凹部３２は、止ネジ３４の頭部３４Ａを入れる状態で、さらに係止フック１２のフック部１２Ａを入れて係止できる深さ、すなわち、止ネジ３４の頭部３４Ａの高さに、フック部１２Ａの挿入深さを加算した深さに成形している。このようにして、係止凹部３２は、止ネジ３４の頭部３４Ａを入れるザグリ穴と、係止フック１２を係止する凹部に併用される。
【００２２】
図５と図８に示す携帯機器３０は、背面の第１のケース３１Ａにザグリ穴に併用される係止凹部３２を設けている。この係止凹部３２は、図１０に示すように、底面に止ネジ３４を挿通する貫通孔３６を設けている。この貫通孔３６に挿通される止ネジ３４は、ケース３１に内蔵される回路基板３７を貫通して、第２のケース３１Ｂの内面に設けているネジボス３５にねじ込まれる。第２のケース３１Ｂは、止ネジ３４の先端部がねじ込まれる位置に、ネジボス３５を一体的に成形して設けている。回路基板３７は、係止凹部３２によって内面に突出している係止凹部３２の底面と、ネジボス３５に挟着され、さらにこれを貫通する止ネジ３４で定位置に固定される。すなわち、この止ネジ３４は、前後のケース３１を連結して固定すると共に、内部に回路基板３７を固定している。
【００２３】
以上の構造の充電台１０と携帯機器３０は、図１と図２に示すように、携帯機器３０の下端部を充電台１０に設けた挿入凹部１４に入れて、携帯機器３０に内蔵している二次電池４０を充電する。この状態で、充電台１０の係止フック１２は、挿入凹部１４の内面に弾性的に突出させているフック部１２Ａを、携帯機器３０の係止凹部３２に入れ、係止フック１２を係止凹部３２に係止して、携帯機器３０を挿入凹部１４に抜けないようにセットする。さらに、この状態で、充電台１０の出力端子１３は携帯機器３０の充電端子３３に接触し、出力端子１３から充電端子３３に通電して、二次電池４０が充電される。
【００２４】
さらに、充電台は、図示しないが、カメラ用の三脚に連結する連結部を設けることができる。この連結部は、充電台のケーシングに設けた凹部または貫通孔の内面に雌ねじを設けた構造として、三脚の上部の固定台の上面から突出する雄ねじをねじ込みできるようにする。連結部は、たとえば、充電台の底面に設けられる。この充電台は、三脚の固定台の上面に水平の姿勢で連結されて、挿入凹部に携帯機器が装着される。このように、三脚に連結できる充電台は、ハンディータイプのデジタルカメラや、カメラ付き携帯電話等の携帯機器を装着した状態で設置して、三脚上で安定してカメラの撮影をすることができる。とくに、本発明は、充電台の係止フックを携帯機器の係止凹部に係止して定位置に保持するので、デジタルカメラやカメラ付き携帯電話等の携帯機器を、三脚に固定された充電台に装着する状態においても、安定して保持できる特長がある。
【図面の簡単な説明】
【００２５】
【図１】本発明の一実施例にかかる充電台と携帯機器の装着状態を示す斜視図である。
【図２】図１に示す充電台と携帯機器の垂直断面図である。
【図３】充電台の斜視図である。
【図４】図３に示す充電台の内部構造を示す斜視図である。
【図５】係止フックと係止凹部の連結構造を示す断面斜視図である。
【図６】出力端子と充電端子の接触状態を示す断面斜視図である。
【図７】係止フックと出力端子の拡大斜視図である。
【図８】携帯機器の背面下部と係止フック及び出力端子の位置関係を示す背面斜視図である。
【図９】携帯機器の一部拡大背面図である。
【図１０】携帯機器のケースを止ネジで連結する構造を示す拡大断面斜視図である。
【符号の説明】
【００２６】
１０…充電台
１１…ケーシング
１２…係止フック            １２Ａ…フック部
１２Ｂ…段差部
１３…出力端子              １３Ａ…先端部
１３Ｂ…コイルバネ部
１３Ｃ…後端部
１４…挿入凹部
１５…回転軸
１６…開口部
１７…第１コイルバネ        １７Ａ…コイル部
１７Ｂ…コ字部
１８…回路基板
１９…開口部
３０…携帯機器
３１…ケース                ３１Ａ…第１のケース
３１Ｂ…第２のケース
３２…係止凹部
３３…充電端子
３４…止ネジ                ３４Ａ…頭部
３５…ネジボス
３６…貫通孔
３７…回路基板
４０…二次電池
【図１】
0004601495.tif 000002
【図２】
0004601495.tif 000003
【図３】
0004601495.tif 000004
【図４】
0004601495.tif 000005
【図５】
0004601495.tif 000006
【図６】
0004601495.tif 000007
【図７】
0004601495.tif 000008
【図８】
0004601495.tif 000009
【図９】
0004601495.tif 000010
【図１０】
0004601495.tif 000011